(57)【要約】【課題】  複数の薪を一体的に扱えるとともに、流入空気量を燃焼に適する状態に調整可能な構成薪を提供する。【解決手段】  薪の表面に有底孔または貫通孔の構成を有する穴を、少なくとも１箇所設け、木材や竹材で棒状に構成され、当該穴に嵌合可能な接合手段により、複数の薪を任意の間隔を保ちながら連結する。これによって、薪の転倒を防止することができるとともに複数の薪を一体的に取り扱うことが可能となる。また、薪片同士の間隙の距離を調整可能な状態にして、供給酸素量を適正にすることのより、燃焼状態を調整できるという利点があることを最も主要な特徴とする。【選択図】図２
2018024811.tif 000002
【特許請求の範囲】
【請求項１】
木材または竹材からなる、棒状の形状を有する接合手段が嵌合可能な穴を、表面の少なくとも１箇所に、設けてなることを特徴とする薪。
【請求項２】
複数の前記薪を、前記接合手段により、任意の間隔で接合してなることを特徴とする、構成薪。
【発明の詳細な説明】
【技術分野】
【０００１】  本発明は、燃料に関するもので、特に、薪、つまり一般に樹木を伐採後乾燥及び再度切断分割して薪片とし、それらを燃焼に適する形態に構成一体化し、その取扱いが便利な、構成薪に関するものである。
【背景技術】
【０００２】  通常、薪は樹木を伐採してその幹及び枝を細断分割して得られ、燃料として使用される。多くの場合は原料の樹木に切断及び乾燥の加工を加えて薪とし、この加工度をさらに上げると木材チップや木質ペレットになる。【０００３】  薪は樹木を原料とするため、人が燃料としてその手で取り扱うには大きさや重さが一定範囲のものであることが必要であると同時に、燃焼の円滑化のためには着火後の酸素供給となる空気供給が重要である。【０００４】  中でも、樹木を円筒形に切り出し乾燥させ、繊維に沿って縦に分割して一方の断面を底辺として分割面同士を２センチメートル乃至３センチメートル離して立てた構成にし、上辺の分割中心部を着火点として燃焼させる方法がある。この薪の形態及び燃焼方法は一般にスウェデッシュトーチやカナディアントーチなどと呼ばれている。また、特許文献１には、この薪の形態としては切り出した樹木の円筒を上辺から底辺までを完全に分割せずにチェンソーなどで途中まで切れ目を入れて、底辺部分が結合させたままのものが開示されている。
【先行技術文献】
【特許文献】
【発明の概要】
【０００５】
【特許文献１】  実用新案登録第３１３１５８３号
【発明が解決しようとする課題】
【０００６】  薪をこのような形態にするのは、空気は薪の分割面間を上昇して着火点に向かうという温められた空気が上昇する現象を利用して着火点に空気を送って酸素の供給を盛んにするためである。着火後、着火点は燃焼に伴い徐々に拡大して燃焼面となり、燃焼面は上辺から下辺に向かって移動する。薪片がそれぞれ分離している場合には、分割面間の間隔を調整して燃焼に適する流入空気量を調整することが一般的である。これは分割面間の間隔が狭ければ空気量が不足し、広すぎれば空気の流入速度が遅くなるためである。【０００７】  その後、個々の薪片は燃焼に伴って縮小変形していき、分割面同士の間隔も広がり、薪片が倒れたりするので、円滑な燃焼を維持するためには、薪片を集めたり重ねたりする管理が必要である。底辺で結合している薪は倒れにくいが、これらの管理ができないという課題がある。【０００８】  本発明によって、解決しようとする課題は、複数の薪片を一体的に扱えるとともに、流入空気量を燃焼に適する状態に調整可能な構成薪を提供することである。
【課題を解決するための手段】
【０００９】  本発明は、前記課題に鑑み、薪片の間の距離を調整する手段として、薪片の表面に開けた穴に、棒状の形状の、木材や竹材の接合手段を嵌合可能とすることを、検討した結果なされたものである。【００１０】  つまり、本発明は、木材または竹材からなる、棒状の形状を有する接合手段が、嵌合可能な穴を、表面の少なくとも１箇所に設けてなることを特徴とする薪であり、複数の薪片を、接合手段により、任意の間隔で接合し、構成薪とすることを可能とするものである。
【発明の効果】
【００１１】  本発明によれば、薪片を連結して構成薪とすることにより、転倒を防止することができるとともに各薪片を一体的に取り扱うことが可能となる。また、薪の間隙の距離を調整可能な状態となるので、供給酸素量を適正にすることにより、燃焼状態を調整できるという利点がある。なお、接合手段を嵌合する穴は、貫通孔でも有底孔でもよい。
【図面の簡単な説明】
【００１２】
【図１】  本発明の前提になる既存の薪の例を示す斜視図。
【図２】  本発明に係る構成薪の例を示す図。
【図３】  本発明に係る構成薪の形状の例を示す斜視図。
【発明を実施するための形態】
【００１３】  以下、図面を参照しつつ、本発明に係る薪の実施の形態について説明を加える。なお、図面の理解を容易にするため、各部の大きさや寸法を誇張して表現している部分があり、実際の製品と必ずしも一致しない部分があることを付記しておく。
【００１４】  図１は、本発明の前提になる既存の薪の例を示す斜視図で、図１（ａ）は樹木より円筒形の丸太を切り出し、繊維方向に沿って分割し、分割面に隙間を開けて立てた状態のもので、通称スウェディシュトーチやカナディアントーチと呼ばれる。図１（ｂ）は、前記同様に切り出した丸太の上部から、繊維方向に切り込みを入れて下部が連結されたままの状態のもので、特許文献１に開示されている。
【００１５】  図２は、本発明に係る構成薪の例を示す図で、図２（ａ）は薪片の接合部分を透視した釘で表している斜視図で、図２（ｂ）は平面図、図２（ｃ）は側面図である。なお、薪片と、接合手段、即ち木材又は竹材からなる釘の嵌合による、接合状態は完全ではなく、外部から薪片同士を引き離そうとする場合にはスライドするけれども、釘が薪片の結合孔から抜けるまでは結合を維持できる程度の締め具合とする。
【００１６】  図３は、本発明に係る構成薪の形状の例を示す図で、図３（ａ）は丸太を多数の薪に切断して製造した構成薪の斜視図、図３（ｂ）は角材を使用した構成薪の斜視図、図３（ｃ）は図３（ａ）と図３（ｂ）の一部を取り出して燃焼させるために接合面の間隔調整を行った後の斜視図である。
【００１７】  前記例においては、本発明の薪の原料を樹木由来のものとしているが、廃紙を固形化したものなど樹木以外の固体の可燃物の原料でもよい。また、構成薪を構成する薪片の数は複数で特にその数を限定するものではない。つまり、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれる。
【符号の説明】
【００１８】１０，２０・・・既存の薪
１１ａ，１１ｂ，１１ｃ，１１ｄ・・・薪片
３０・・・構成薪
３１ａ，３１ｂ，３１ｃ，３１ｄ・・・薪片
３２ａ，３２ｂ，３２ｃ，３２ｄ，３２ｅ，３２ｆ，３２ｇ，３２ｈ・・・結合孔
３３ａ，３３ｂ，３３ｃ，３３ｄ・・・木釘
【図１】
2018024811.tif 000003
【図２】
2018024811.tif 000004
【図３】
2018024811.tif 000005
【手続補正書】
【提出日】平成28年11月25日(2016.11.25)
【手続補正２】
【補正対象書類名】特許請求の範囲
【補正対象項目名】全文
【補正方法】変更
【補正の内容】
【特許請求の範囲】
【請求項１】
薪片の表面の少なくとも１箇所に設けた穴に、木材または竹材からなる棒状の形状を有する接合手段を嵌合して、複数の薪片を接合することで構成一体化した構成薪であって、薪片の間を上昇して着火点に向かう流入空気量を調整するために、薪片の間の間隔を調整可能とした構成薪。